(57)【要約】【課題】半導体素子部とコンデンサとの電気的な接続部分の浮遊インダクタンスの増加を抑制する。【解決手段】電力変換装置は、半導体素子部から第１方向の一方側に延びている素子側第１極導電体および素子側第２極導電体と、コンデンサから第１方向の他方側に延びているコンデンサ側第１極導電体およびコンデンサ側第２極導電体を備え、素子側第１極導電体の接続面とコンデンサ側第１極導電体の接続面が重なってそれらが電気的に接続され、素子側第２極導電体の接続面とコンデンサ側第２極導電体の接続面が重なってそれらが電気的に接続されている。【選択図】図１
2019180115.tif 000002
【特許請求の範囲】
【請求項１】
上アーム素子と下アーム素子とを有する半導体素子部と、
コンデンサと、
前記上アーム素子および前記下アーム素子の一方に電気的に接続されて第１方向の一方の側に延びている素子側第１極導電体と、
前記上アーム素子および前記下アーム素子の他方に電気的に接続されて前記第１方向の前記一方の側に延びている素子側第２極導電体と、
前記コンデンサに電気的に接続されて前記第１方向の他方の側に延びているコンデンサ側第１極導電体と、
前記コンデンサに電気的に接続され前記第１方向の前記他方の側に延びているコンデンサ側第２極導電体とを備え、
前記素子側第１極導電体と前記素子側第２極導電体とは、互いに向かい合って素子側導電体組を構成し、
前記コンデンサ側第１極導電体と前記コンデンサ側第２極導電体とは、互いに向かい合ってコンデンサ側導電体組を構成し、
前記素子側第１極導電体は、前記コンデンサ側第１極導電体と重なる素子側第１接続面を備え、
前記素子側第２極導電体は、前記素子側第１極導電体よりも前記第１方向の前記一方の側に突出している素子側突出部を備え、
前記素子側突出部は、前記コンデンサ側第２極導電体と重なる素子側第２接続面を備え、
前記コンデンサ側第１極導電体は、前記コンデンサ側第２極導電体よりも前記第１方向の前記他方の側に突出しているコンデンサ側突出部を備え、
前記コンデンサ側突出部は、前記素子側第１接続面と重なるコンデンサ側第１接続面を備え、
前記コンデンサ側第２極導電体は、前記素子側第２接続面と重なるコンデンサ側第２接続面を備え、
前記素子側第１接続面および前記コンデンサ側第１接続面は平行に延びており、前記素子側第１接続面と前記コンデンサ側第１接続面とが重なることによって、互いに電気的に接続され、
前記素子側第２接続面および前記コンデンサ側第２接続面は平行に延びており、前記素子側第２接続面と前記コンデンサ側第２接続面とが重なることによって、互いに電気的に接続されている、
電力変換装置。
【請求項２】
複数の前記素子側導電体組を備え、
それぞれの前記素子側導電体組の前記素子側第１接続面および前記素子側第２接続面の前記第１方向に直交する第２方向の幅は、
前記コンデンサ側導電体組の前記第２方向の幅よりも小さい、
請求項１に記載の電力変換装置。
【請求項３】
前記素子側第１極導電体と前記素子側第２極導電体とを電気的に絶縁する素子側電気絶縁部と、
前記コンデンサ側第１極導電体と前記コンデンサ側第２極導電体とを電気的に絶縁するコンデンサ側電気絶縁部とを備え、
前記素子側電気絶縁部は、前記素子側第１極導電体よりも前記第１方向の前記一方の側に突出している素子側突出電気絶縁部を備え、
前記コンデンサ側電気絶縁部は、前記コンデンサ側第２極導電体よりも前記第１方向の前記他方の側に突出しているコンデンサ側突出電気絶縁部を備える、
請求項１または請求項２に記載の電力変換装置。
【請求項４】
前記素子側第２極導電体は、前記素子側突出電気絶縁部よりも前記第１方向の前記一方の側に突出しており、
前記素子側突出部のうちの前記素子側突出電気絶縁部よりも前記第１方向の前記一方の側に突出している部分が、前記素子側第２接続面を備え、
前記コンデンサ側第１極導電体は、前記コンデンサ側突出電気絶縁部よりも前記第１方向の前記他方の側に突出しており、
前記コンデンサ側突出部のうちの前記コンデンサ側突出電気絶縁部よりも前記第１方向の前記他方の側に突出している部分が、前記コンデンサ側第１接続面を備える、
請求項３に記載の電力変換装置。
【発明の詳細な説明】
【技術分野】
【０００１】
本発明は、電力変換装置に関する。
【背景技術】
【０００２】
従来、半導体素子を配置する際に半導体素子を上下反転する工程を不要にする半導体装置が知られている（例えば、特許文献１参照）。特許文献１に記載された半導体装置では、第１半導体素子（上アーム素子）と第２半導体素子（下アーム素子）とが並列に配置されている。また、第１半導体素子の上面側の電極に電気的に接続された導電体の薄板部と、第２半導体素子の下面側の電極に電気的に接続された導電体の薄板部とを固着することによって、第１半導体素子の上面側の電極と、第２半導体素子の下面側の電極とが、電気的に接続されている。
【先行技術文献】
【特許文献】
【０００３】
【特許文献１】特開２０１２−２３５０８１号公報
【発明の概要】
【発明が解決しようとする課題】
【０００４】
ところで、特許文献１には、第１半導体素子の下面側の電極に電気的に接続された導電体、および、第２半導体素子の上面側の電極に電気的に接続された導電体が、何に電気的に接続されるかについて記載されていない。仮に、第１半導体素子の下面側の電極に電気的に接続された導電体、および、第２半導体素子の上面側の電極に電気的に接続された導電体が、コンデンサに電気的に接続される場合、それらの導電体とコンデンサとの接続のやり方によっては、それらの導電体とコンデンサとの接続部分における浮遊インダクタンスが大きくなってしまうおそれがある。
【０００５】
上述した問題点に鑑み、本発明は、半導体素子部とコンデンサとの電気的な接続部分の浮遊インダクタンスの増加を抑制することができる電力変換装置を提供することを目的とする。
【課題を解決するための手段】
【０００６】
（１）本発明の一態様に係る電力変換装置は、上アーム素子と下アーム素子とを有する半導体素子部と、コンデンサと、前記上アーム素子および前記下アーム素子の一方に電気的に接続されて第１方向の一方の側に延びている素子側第１極導電体と、前記上アーム素子および前記下アーム素子の他方に電気的に接続されて前記第１方向の前記一方の側に延びている素子側第２極導電体と、前記コンデンサに電気的に接続されて前記第１方向の他方の側に延びているコンデンサ側第１極導電体と、前記コンデンサに電気的に接続され前記第１方向の前記他方の側に延びているコンデンサ側第２極導電体とを備え、前記素子側第１極導電体と前記素子側第２極導電体とは、互いに向かい合って素子側導電体組を構成し、前記コンデンサ側第１極導電体と前記コンデンサ側第２極導電体とは、互いに向かい合ってコンデンサ側導電体組を構成し、前記素子側第１極導電体は、前記コンデンサ側第１極導電体と重なる素子側第１接続面を備え、前記素子側第２極導電体は、前記素子側第１極導電体よりも前記第１方向の前記一方の側に突出している素子側突出部を備え、前記素子側突出部は、前記コンデンサ側第２極導電体と重なる素子側第２接続面を備え、前記コンデンサ側第１極導電体は、前記コンデンサ側第２極導電体よりも前記第１方向の前記他方の側に突出しているコンデンサ側突出部を備え、前記コンデンサ側突出部は、前記素子側第１接続面と重なるコンデンサ側第１接続面を備え、前記コンデンサ側第２極導電体は、前記素子側第２接続面と重なるコンデンサ側第２接続面を備え、前記素子側第１接続面および前記コンデンサ側第１接続面は平行に延びており、前記素子側第１接続面と前記コンデンサ側第１接続面とが重なることによって、互いに電気的に接続され、前記素子側第２接続面および前記コンデンサ側第２接続面は平行に延びており、前記素子側第２接続面と前記コンデンサ側第２接続面とが重なることによって、互いに電気的に接続されている。
【０００７】
（２）上記（１）に記載の電力変換装置は、複数の前記素子側導電体組を備え、それぞれの前記素子側導電体組の前記素子側第１接続面および前記素子側第２接続面の前記第１方向に直交する第２方向の幅は、前記コンデンサ側導電体組の前記第２方向の幅より小さくてもよい。
【０００８】
（３）上記（１）または（２）に記載の電力変換装置は、前記素子側第１極導電体と前記素子側第２極導電体とを電気的に絶縁する素子側電気絶縁部と、前記コンデンサ側第１極導電体と前記コンデンサ側第２極導電体とを電気的に絶縁するコンデンサ側電気絶縁部とを備え、前記素子側電気絶縁部は、前記素子側第１極導電体よりも前記第１方向の前記一方の側に突出している素子側突出電気絶縁部を備え、前記コンデンサ側電気絶縁部は、前記コンデンサ側第２極導電体よりも前記第１方向の前記他方の側に突出しているコンデンサ側突出電気絶縁部を備えていてもよい。
【０００９】
（４）上記（３）に記載の電力変換装置では、前記素子側第２極導電体は、前記素子側突出電気絶縁部よりも前記第１方向の前記一方の側に突出しており、前記素子側突出部のうちの前記素子側突出電気絶縁部よりも前記第１方向の前記一方の側に突出している部分が、前記素子側第２接続面を備え、前記コンデンサ側第１極導電体は、前記コンデンサ側突出電気絶縁部よりも前記第１方向の前記他方の側に突出しており、前記コンデンサ側突出部のうちの前記コンデンサ側突出電気絶縁部よりも前記第１方向の前記他方の側に突出している部分が、前記コンデンサ側第１接続面を備えていてもよい。
【発明の効果】
【００１０】
上記（１）に記載の電力変換装置では、互いに平行な素子側第１接続面とコンデンサ側第１接続面とが重なることよって、素子側第１極導電体とコンデンサ側第１極導電体とが電気的に接続され、互いに平行な素子側第２接続面とコンデンサ側第２接続面とが重なることによって、素子側第２極導電体とコンデンサ側第２極側導電体とが電気的に接続される。
そのため、上記（１）に記載の電力変換装置では、素子側第１極導電体とコンデンサ側第１極導電体との電気的な接続部分、および、素子側第２極導電体とコンデンサ側第２極導電体との電気的な接続部分の浮遊インダクタンスの増加を抑制することができる。つまり、半導体素子部とコンデンサとの電気的な接続部分の浮遊インダクタンスの増加を抑制することができる。
【００１１】
上記（２）に記載の電力変換装置では、複数の素子側導電体組のそれぞれの素子側第１接続面および素子側第２接続面の第１方向に直交する第２方向の幅は、コンデンサ側導電体組の第２方向の幅より小さくてもよい。
そのように構成される場合には、素子側第１接続面および素子側第２接続面の第２方向の幅とコンデンサ側導電体組の第２方向の幅とが等しい場合よりも、素子側導電体組とコンデンサ側導電体組との接合作業を容易にすることができる。
【００１２】
上記（３）に記載の電力変換装置では、素子側第１極導電体よりも第１方向の一方の側に突出している素子側突出電気絶縁部を備える素子側電気絶縁部によって側第１極導電体と素子側第２極導電体とが電気的に絶縁され、コンデンサ側第２極導電体よりも第１方向の他方の側に突出しているコンデンサ側突出電気絶縁部を備えるコンデンサ側電気絶縁部によってコンデンサ側第１極導電体とコンデンサ側第２極導電体とが電気的に絶縁されてもよい。
そのように構成される場合には、素子側第１極導電体とコンデンサ側第１極導電体との電気的な接続部分、および、素子側第２極導電体とコンデンサ側第２極導電体との電気的な接続部分の浮遊インダクタンスの増加を抑制しつつ、素子側突出電気絶縁部によって素子側第１極導電体と素子側第２極導電体との間の電気絶縁性を確保すると共に、コンデンサ側突出電気絶縁部によってコンデンサ側第１極導電体とコンデンサ側第２極導電体との間の電気絶縁性を確保することができる。
【００１３】
上記（４）に記載の電力変換装置では、素子側突出部のうちの素子側突出電気絶縁部よりも第１方向の一方の側に突出している部分が、コンデンサ側第２接続面と重なる素子側第２接続面を備え、コンデンサ側突出部のうちのコンデンサ側突出電気絶縁部よりも第１方向の他方の側に突出している部分が、モジュール側第１接続面と重なるコンデンサ側第１接続面を備えていてもよい。
そのように構成される場合には、素子側第１極導電体とコンデンサ側第１極導電体との電気的な接続部分、および、素子側第２極導電体とコンデンサ側第２極導電体との電気的な接続部分の浮遊インダクタンスの増加を抑制しつつ、素子側突出電気絶縁部によって素子側第１極導電体とコンデンサ側第２極導電体との間の電気絶縁性を確保すると共に、コンデンサ側突出電気絶縁部によってコンデンサ側第１極導電体と素子側第２極導電体との間の電気絶縁性を確保することができる。
【図面の簡単な説明】
【００１４】
【図１】第１実施形態の電力変換装置の概略構成の一例を示す図である。
【図２】第１実施形態の電力変換装置の一例の斜視図である。
【図３】第１実施形態の電力変換装置の一例の斜視図である。
【図４】第２実施形態の電力変換装置の概略構成の一例を示す図である。
【図５】第３実施形態の電力変換装置の一例の斜視図である。
【図６】第１から第４実施形態の電力変換装置を適用可能な車両の一部の一例を示す図である。
【発明を実施するための形態】
【００１５】
以下、本発明の電力変換装置の実施形態について添付図面を参照しながら説明する。
【００１６】
＜第１実施形態＞
図１は第１実施形態の電力変換装置１の概略構成の一例を示す図である。詳細には、図１（Ａ）はパワーモジュール（半導体素子部）２１がコンデンサユニット２３に電気的に接続される前の状態の電力変換装置１の概略的な正面図である。図１（Ｂ）はパワーモジュール２１がコンデンサユニット２３に電気的に接続された後の状態の電力変換装置１の概略的な正面図である。
図２および図３は第１実施形態の電力変換装置１の一例の斜視図である。詳細には、図２（Ａ）はコンデンサケース２３Ｂおよびポッティング材を透視して見た、図１（Ａ）に示す状態に対応する電力変換装置１の斜視図である。図２（Ｂ）は図２（Ａ）中の導電体組５０ｐｎを抽出して示した図である。詳細には、図２（Ｂ）は図２（Ａ）中の電気絶縁部ＥＩＴ、ＥＩＳを透視して見た導電体組５０ｐｎの斜視図である。図３は図１（Ｂ）に示す状態に対応する電力変換装置１の斜視図である。
【００１７】
図１〜図３に示す例では、電力変換装置１が、パワーモジュール（半導体素子部）２１と、コンデンサユニット２３と、素子側第１極導電体および素子側第２極導電体の一方としての正極側導電体ＰＩと、素子側第１極導電体および素子側第２極導電体の他方としての負極側導電体ＮＩと、コンデンサ側第１極導電体およびコンデンサ側第２極導電体の一方としての正極端子５０ｐと、コンデンサ側第１極導電体およびコンデンサ第２極側導電体の他方としての負極端子５０ｎとを備えている。
詳細には、図２（Ａ）および図３に示すように、電力変換装置１が、Ｕ相のパワーモジュール２１と、Ｖ相のパワーモジュール２１と、Ｗ相のパワーモジュール２１とを備えている。Ｕ相のパワーモジュール２１は、上アーム素子ＵＨ（図６参照）と下アーム素子ＵＬ（図６参照）とを有する。Ｖ相のパワーモジュール２１は、上アーム素子ＶＨ（図６参照）と下アーム素子ＶＬ（図６参照）とを有する。Ｗ相のパワーモジュール２１は、上アーム素子ＷＨ（図６参照）と下アーム素子ＷＬ（図６参照）とを有する。
他の例では、電力変換装置１が、１相分のみの上アーム素子と下アーム素子とを有するパワーモジュール２１を備えていてもよい。
【００１８】
図１〜図３に示す例では、電力変換装置１が、Ｕ相の正極側導電体ＰＩと、Ｕ相の負極側導電体ＮＩと、Ｕ相の出力側導電体５１と、Ｖ相の正極側導電体ＰＩと、Ｖ相の負極側導電体ＮＩと、Ｖ相の出力側導電体５１と、Ｗ相の正極側導電体ＰＩと、Ｗ相の負極側導電体ＮＩと、Ｗ相の出力側導電体５１と、ゲート信号線ＧＳとを備えている。
Ｕ相の正極側導電体ＰＩは、Ｕ相の上アーム素子ＵＨに電気的に接続されて第１方向の一方の側（図１（Ａ）および図１（Ｂ）の左右方向の右側、図２（Ａ）および図３の左下−右上方向の右上側）に延びている。Ｕ相の負極側導電体ＮＩは、Ｕ相の下アーム素子ＵＬに電気的に接続されて第１方向の一方の側に延びている。Ｕ相の正極側導電体ＰＩと負極側導電体ＮＩとは、互いに向かい合ってモジュール側のＵ相の導電体組ＰＮを構成する。Ｕ相の出力側導電体５１はＵ相の上アーム素子ＵＨと下アーム素子ＵＬとに電気的に接続されて第１方向の他方の側（図２（Ａ）および図３の左下−右上方向の左下側）に延びている。Ｕ相の上アーム素子ＵＨおよび下アーム素子ＵＬには、ゲート信号線ＧＳを介してゲート信号が入力される。
Ｖ相の正極側導電体ＰＩは、Ｖ相の上アーム素子ＶＨに電気的に接続されて第１方向の一方の側（図１（Ａ）および図１（Ｂ）の左右方向の右側、図２（Ａ）および図３の左下−右上方向の右上側）に延びている。Ｖ相の負極側導電体ＮＩは、Ｖ相の下アーム素子ＶＬに電気的に接続されて第１方向の一方の側に延びている。Ｖ相の正極側導電体ＰＩと負極側導電体ＮＩとは、互いに向かい合ってモジュール側のＶ相の導電体組ＰＮを構成する。Ｖ相の出力側導電体５１はＶ相の上アーム素子ＶＨと下アーム素子ＶＬとに電気的に接続されて第１方向の他方の側（図２（Ａ）および図３の左下−右上方向の左下側）に延びている。Ｖ相の上アーム素子ＶＨおよび下アーム素子ＶＬには、ゲート信号線ＧＳを介してゲート信号が入力される。
Ｗ相の正極側導電体ＰＩは、Ｗ相の上アーム素子ＷＨに電気的に接続されて第１方向の一方の側（図１（Ａ）および図１（Ｂ）の左右方向の右側、図２（Ａ）および図３の左下−右上方向の右上側）に延びている。Ｗ相の負極側導電体ＮＩは、Ｗ相の下アーム素子ＷＬに電気的に接続されて第１方向の一方の側に延びている。Ｗ相の正極側導電体ＰＩと負極側導電体ＮＩとは、互いに向かい合ってモジュール側のＷ相の導電体組ＰＮを構成する。Ｗ相の出力側導電体５１はＷ相の上アーム素子ＷＨと下アーム素子ＷＬとに電気的に接続されて第１方向の他方の側（図２（Ａ）および図３の左下−右上方向の左下側）に延びている。Ｗ相の上アーム素子ＷＨおよび下アーム素子ＷＬには、ゲート信号線ＧＳを介してゲート信号が入力される。
他の例では、電力変換装置１が、１相分のみの正極側導電体ＰＩ、負極側導電体ＮＩ、出力側導電体５１およびゲート信号線ＧＳを備えていてもよい。
【００１９】
図１〜図３に示す例では、コンデンサユニット２３が、コンデンサ素子２３Ａ（図２（Ａ）および図３参照）と、コンデンサケース２３Ｂ（図３参照）とを備えている。
正極端子５０ｐは、コンデンサユニット２３に電気的に接続されて第１方向の他方の側（図１（Ａ）および図１（Ｂ）の左右方向の左側、図２（Ａ）、図２（Ｂ）および図３の左下−右上方向の左下側）に延びている。負極端子５０ｎは、コンデンサユニット２３に電気的に接続されて第１方向の他方の側に延びている。正極端子５０ｐと負極端子５０ｎとは、互いに向かい合ってコンデンサ側の導電体組５０ｐｎを構成する。
【００２０】
図１〜図３に示す例では、Ｕ相の正極側導電体ＰＩが、正極端子５０ｐと重なる接続面ＰＩＶ（図１（Ａ）および図１（Ｂ）参照）を備えている。同様に、Ｖ相の正極側導電体ＰＩは、正極端子５０ｐと重なる接続面ＰＩＶを備えている。また、Ｗ相の正極側導電体ＰＩは、正極端子５０ｐと重なる接続面ＰＩＶを備えている。
他の例では、１相分の正極側導電体ＰＩが、正極端子５０ｐと重なる１相分の接続面ＰＩＶを備えていてもよい。
【００２１】
図１〜図３に示す例では、Ｕ相の負極側導電体ＮＩが、Ｕ相の正極側導電体ＰＩよりも第１方向の一方の側（図１（Ａ）および図１（Ｂ）の左右方向の右側、図２（Ａ）および図３の左下−右上方向の右上側）に突出している突出部ＮＩＲ（図１（Ａ）および図１（Ｂ）参照）を備えている。Ｕ相の負極側導電体ＮＩの突出部ＮＩＲは、負極端子５０ｎと重なる接続面ＮＩＶ（図１（Ａ）および図１（Ｂ）参照）を備えている。
同様に、Ｖ相の負極側導電体ＮＩは、Ｖ相の正極側導電体ＰＩよりも第１方向の一方の側に突出している突出部ＮＩＲを備えている。Ｖ相の負極側導電体ＮＩの突出部ＮＩＲは、負極端子５０ｎと重なる接続面ＮＩＶを備えている。
また、Ｗ相の負極側導電体ＮＩは、Ｗ相の正極側導電体ＰＩよりも第１方向の一方の側に突出している突出部ＮＩＲを備えている。Ｗ相の負極側導電体ＮＩの突出部ＮＩＲは、負極端子５０ｎと重なる接続面ＮＩＶを備えている。
他の例では、１相分の負極側導電体ＮＩが、正極側導電体ＰＩよりも第１方向の一方の側に突出している１相分の突出部ＮＩＲを備え、１相分の突出部ＮＩＲが、負極端子５０ｎと重なる１相分の接続面ＮＩＶを備えていてもよい。
【００２２】
図１〜図３に示す例では、正極端子５０ｐが、負極端子５０ｎよりも第１方向の他方の側（図１（Ａ）および図１（Ｂ）の左右方向の左側、図２（Ａ）および図３の左下−右上方向の左下側）に突出している突出部５０ｐ２を備えている。突出部５０ｐ２は、接続面ＰＩＶ（図１（Ａ）および図１（Ｂ）参照）と重なる接続面５０ｐ１（図１（Ａ）、図１（Ｂ）、図２（Ａ）および図２（Ｂ）参照）を備えている。
詳細には、正極端子５０ｐが、Ｕ相の正極側導電体ＰＩの接続面ＰＩＶと重なるＵ相の接続面５０ｐ１（図２（Ａ）および図２（Ｂ）参照）と、Ｖ相の正極側導電体ＰＩの接続面ＰＩＶと重なるＶ相の接続面５０ｐ１（図２（Ａ）および図２（Ｂ）参照）と、Ｗ相の正極側導電体ＰＩの接続面ＰＩＶと重なるＷ相の接続面５０ｐ１（図２（Ａ）および図２（Ｂ）参照）とを備えている。
他の例では、正極端子５０ｐが、１相分の正極側導電体ＰＩの接続面ＰＩＶと重なる１相分のみの接続面５０ｐ１を備えていてもよい。
【００２３】
図１〜図３に示す例では、負極端子５０ｎが、接続面ＮＩＶ（図１（Ａ）および図１（Ｂ）参照）と重なる接続面５０ｎ１を備えている。
詳細には、負極端子５０ｎが、Ｕ相の負極側導電体ＮＩの接続面ＮＩＶと重なるＵ相の接続面５０ｎ１（図２（Ａ）および図２（Ｂ）参照）と、Ｖ相の負極側導電体ＮＩの接続面ＮＩＶと重なるＶ相の接続面５０ｎ１（図２（Ａ）および図２（Ｂ）参照）と、Ｗ相の負極側導電体ＮＩの接続面ＮＩＶと重なるＷ相の接続面５０ｎ１（図２（Ａ）および図２（Ｂ）参照）とを備えている。
他の例では、負極端子５０ｎが、１相分の負極側導電体ＮＩの接続面ＮＩＶと重なる１相分のみの接続面５０ｎ１を備えていてもよい。
【００２４】
図１〜図３に示す例では、正極側導電体ＰＩの接続面ＰＩＶおよび正極端子５０ｐの接続面５０ｐ１が平行に延びている。また、正極側導電体ＰＩの接続面ＰＩＶと正極端子５０ｐの接続面５０ｐ１とが重なることによって、正極側導電体ＰＩと正極端子５０ｐとが互いに電気的に接続されている。正極側導電体ＰＩと正極端子５０ｐとの電気的接続は、例えば溶接、ろう付け等によって行われている。
詳細には、Ｕ相の正極側導電体ＰＩの接続面ＰＩＶと、正極端子５０ｐのＵ相の接続面５０ｐ１とが平行に延びており、Ｖ相の正極側導電体ＰＩの接続面ＰＩＶと、正極端子５０ｐのＶ相の接続面５０ｐ１とが平行に延びており、Ｗ相の正極側導電体ＰＩの接続面ＰＩＶと、正極端子５０ｐのＷ相の接続面５０ｐ１とが平行に延びている。
Ｕ相の正極側導電体ＰＩの接続面ＰＩＶと正極端子５０ｐのＵ相の接続面５０ｐ１とが重なることによって、Ｕ相の正極側導電体ＰＩと正極端子５０ｐとが互いに電気的に接続され、Ｖ相の正極側導電体ＰＩの接続面ＰＩＶと正極端子５０ｐのＶ相の接続面５０ｐ１とが重なることによって、Ｖ相の正極側導電体ＰＩと正極端子５０ｐとが互いに電気的に接続され、Ｗ相の正極側導電体ＰＩの接続面ＰＩＶと正極端子５０ｐのＷ相の接続面５０ｐ１とが重なることによって、Ｗ相の正極側導電体ＰＩと正極端子５０ｐとが互いに電気的に接続されている。
他の例では、１相分の正極側導電体ＰＩの接続面ＰＩＶと、正極端子５０ｐの１相分の接続面５０ｐ１とが平行に延びており、１相分の正極側導電体ＰＩの接続面ＰＩＶと正極端子５０ｐの１相分の接続面５０ｐ１とが重なることによって、１相分の正極側導電体ＰＩと正極端子５０ｐとが互いに電気的に接続されていてもよい。
【００２５】
図１〜図３に示す例では、負極側導電体ＮＩの接続面ＮＩＶおよび負極端子５０ｎの接続面５０ｎ１が平行に延びている。また、負極側導電体ＮＩの接続面ＮＩＶと負極端子５０ｎの接続面５０ｎ１とが重なることによって、負極側導電体ＮＩと負極端子５０ｎとが互いに電気的に接続されている。負極側導電体ＮＩと負極端子５０ｎとの電気的接続は、例えば溶接、ろう付け等によって行われている。
詳細には、Ｕ相の負極側導電体ＮＩの接続面ＮＩＶおよび負極端子５０ｎのＵ相の接続面５０ｎ１が平行に延びており、Ｖ相の負極側導電体ＮＩの接続面ＮＩＶおよび負極端子５０ｎのＶ相の接続面５０ｎ１が平行に延びており、Ｗ相の負極側導電体ＮＩの接続面ＮＩＶおよび負極端子５０ｎのＷ相の接続面５０ｎ１が平行に延びている。
Ｕ相の負極側導電体ＮＩの接続面ＮＩＶと負極端子５０ｎのＵ相の接続面５０ｎ１とが重なることによって、Ｕ相の負極側導電体ＮＩと負極端子５０ｎとが互いに電気的に接続され、Ｖ相の負極側導電体ＮＩの接続面ＮＩＶと負極端子５０ｎのＶ相の接続面５０ｎ１とが重なることによって、Ｖ相の負極側導電体ＮＩと負極端子５０ｎとが互いに電気的に接続され、Ｗ相の負極側導電体ＮＩの接続面ＮＩＶと負極端子５０ｎのＷ相の接続面５０ｎ１とが重なることによって、Ｗ相の負極側導電体ＮＩと負極端子５０ｎとが互いに電気的に接続されている。
他の例では、１相分の負極側導電体ＮＩの接続面ＮＩＶと、負極端子５０ｎの１相分の接続面５０ｎ１とが平行に延びており、１相分の負極側導電体ＮＩの接続面ＮＩＶと負極端子５０ｎの１相分の接続面５０ｎ１とが重なることによって、１相分の負極側導電体ＮＩと負極端子５０ｎとが互いに電気的に接続されていてもよい。
【００２６】
図１〜図３に示す例では、電力変換装置１が、正極側導電体ＰＩと負極側導電体ＮＩとを電気的に絶縁する例えばラミネート（電気絶縁性樹脂、電気絶縁紙など）などのような電気絶縁部ＰＮＳを備えている。電気絶縁部ＰＮＳは、正極側導電体ＰＩよりも第１方向の一方の側（図１（Ａ）および図１（Ｂ）の左右方向の右側、図２（Ａ）および図３の左下−右上方向の右上側）に突出している突出電気絶縁部ＰＮＳ１を備えている。
詳細には、電力変換装置１が、Ｕ相の正極側導電体ＰＩと負極側導電体ＮＩとを電気的に絶縁するＵ相の電気絶縁部ＰＮＳと、Ｖ相の正極側導電体ＰＩと負極側導電体ＮＩとを電気的に絶縁するＶ相の電気絶縁部ＰＮＳと、Ｗ相の正極側導電体ＰＩと負極側導電体ＮＩとを電気的に絶縁するＷ相の電気絶縁部ＰＮＳとを備えている。Ｕ相の電気絶縁部ＰＮＳは、Ｕ相の正極側導電体ＰＩよりも第１方向の一方の側（図１（Ａ）および図１（Ｂ）の左右方向の右側）に突出しているＵ相の突出電気絶縁部ＰＮＳ１（図１（Ａ）および図１（Ｂ）参照）を備えている。同様に、Ｖ相の電気絶縁部ＰＮＳは、Ｖ相の正極側導電体ＰＩよりも第１方向の一方の側（図２（Ａ）および図３の左下−右上方向の右上側）に突出しているＶ相の突出電気絶縁部ＰＮＳ１を備えている。Ｗ相の電気絶縁部ＰＮＳは、Ｗ相の正極側導電体ＰＩよりも第１方向の一方の側に突出しているＷ相の突出電気絶縁部ＰＮＳ１を備えている。
他の例では、電力変換装置１が、１相分の正極側導電体ＰＩと負極側導電体ＮＩとを電気的に絶縁する１相分の電気絶縁部ＰＮＳを備えており、１相分の電気絶縁部ＰＮＳが、正極側導電体ＰＩよりも第１方向の一方の側に突出している１相分の突出電気絶縁部ＰＮＳ１を備えていてもよい。
【００２７】
図１〜図３に示す例では、負極側導電体ＮＩの突出部ＮＩＲの一部分が、突出電気絶縁部ＰＮＳ１よりも第１方向の一方の側（図１（Ａ）および図１（Ｂ）の左右方向の右側、図２（Ａ）および図３の左下−右上方向の右上側）に突出している。その部分は、接続面ＮＩＶを備えている。つまり、正極側導電体ＰＩの接続面ＰＩＶと負極側導電体ＮＩの接続面ＮＩＶとは、突出電気絶縁部ＰＮＳ１の分だけ第１方向（図１（Ａ）および図１（Ｂ）の左右方向、図２（Ａ）および図３の左下−右上方向）に離間し、かつ、突出電気絶縁部ＰＮＳ１によって電気的に絶縁されている。
詳細には、Ｕ相の負極側導電体ＮＩの突出部ＮＩＲの一部分が、Ｕ相の突出電気絶縁部ＰＮＳ１よりも第１方向の一方の側（図１（Ａ）および図１（Ｂ）の左右方向の右側、図２（Ａ）および図３の左下−右上方向の右上側）に突出している。Ｕ相のその部分は、負極端子５０ｎのＵ相の接続面５０ｎ１と重なる接続面ＮＩＶを備えている。Ｕ相の正極側導電体ＰＩの接続面ＰＩＶと負極側導電体ＮＩの接続面ＮＩＶとは、Ｕ相の突出電気絶縁部ＰＮＳ１の分だけ第１方向（図１（Ａ）および図１（Ｂ）の左右方向、図２（Ａ）および図３の左下−右上方向）に離間し、かつ、Ｕ相の突出電気絶縁部ＰＮＳ１によって電気的に絶縁されている。
Ｖ相の負極側導電体ＮＩの突出部ＮＩＲの一部分は、Ｖ相の突出電気絶縁部ＰＮＳ１よりも第１方向の一方の側（図２（Ａ）および図３の左下−右上方向の右上側）に突出している。Ｖ相のその部分は、負極端子５０ｎのＶ相の接続面５０ｎ１と重なる接続面ＮＩＶを備えている。Ｖ相の正極側導電体ＰＩの接続面ＰＩＶと負極側導電体ＮＩの接続面ＮＩＶとは、Ｖ相の突出電気絶縁部ＰＮＳ１の分だけ第１方向（図２（Ａ）および図３の左下−右上方向）に離間し、かつ、Ｖ相の突出電気絶縁部ＰＮＳ１によって電気的に絶縁されている。
Ｗ相の負極側導電体ＮＩの突出部ＮＩＲの一部分は、Ｗ相の突出電気絶縁部ＰＮＳ１よりも第１方向の一方の側に突出している。Ｗ相のその部分は、負極端子５０ｎのＷ相の接続面５０ｎ１と重なる接続面ＮＩＶを備えている。Ｗ相の正極側導電体ＰＩの接続面ＰＩＶと負極側導電体ＮＩの接続面ＮＩＶとは、Ｗ相の突出電気絶縁部ＰＮＳ１の分だけ第１方向に離間し、かつ、Ｗ相の突出電気絶縁部ＰＮＳ１によって電気的に絶縁されている。
他の例では、１相分の負極側導電体ＮＩの突出部ＮＩＲの一部分が、１相分の突出電気絶縁部ＰＮＳ１よりも第１方向の一方の側に突出し、１相分のその部分が、負極端子５０ｎの１相分の接続面５０ｎ１と重なる接続面ＮＩＶを備え、１相分の正極側導電体ＰＩの接続面ＰＩＶと負極側導電体ＮＩの接続面ＮＩＶとが、１相分の突出電気絶縁部ＰＮＳ１の分だけ第１方向に離間し、かつ、１相分の突出電気絶縁部ＰＮＳ１によって電気的に絶縁されていてもよい。
【００２８】
図１〜図３に示す例では、電力変換装置１が、正極端子５０ｐと負極端子５０ｎとを電気的に絶縁する例えばラミネート（電気絶縁性樹脂、電気絶縁紙など）などのような電気絶縁部ＥＩＳ（図１（Ａ）、図１（Ｂ）および図２（Ａ）参照）を備えている。電気絶縁部ＥＩＳは、負極端子５０ｎよりも第１方向の他方の側（図１（Ａ）および図１（Ｂ）の左右方向の左側、図２（Ａ）および図３の左下−右上方向の左下側）に突出している突出電気絶縁部ＥＩＳ１（図１（Ａ）、図１（Ｂ）および図２（Ａ）参照）を備えている。また、電力変換装置１は、負極端子５０ｎの大部分を覆う例えばラミネートなどのような電気絶縁部ＥＩＴ（図２（Ａ）および図３参照）を備えている。
詳細には、電気絶縁部ＥＩＳが、負極端子５０ｎのＵ相の接続面５０ｎ１よりも第１方向の他方の側（図２（Ａ）の左下−右上方向の左下側）に突出しているＵ相の突出電気絶縁部ＥＩＳ１と、負極端子５０ｎのＶ相の接続面５０ｎ１よりも第１方向の他方の側に突出しているＶ相の突出電気絶縁部ＥＩＳ１と、負極端子５０ｎのＷ相の接続面５０ｎ１よりも第１方向の他方の側に突出しているＷ相の突出電気絶縁部ＥＩＳ１とを備えている。
他の例では、電気絶縁部ＥＩＳが、負極端子５０ｎの１相分の接続面５０ｎ１よりも第１方向の他方の側に突出している１相分の突出電気絶縁部ＥＩＳ１を備えていてもよい。
【００２９】
図１〜図３に示す例では、正極端子５０ｐの突出部５０ｐ２の一部分が、突出電気絶縁部ＥＩＳ１よりも第１方向の他方の側（図１（Ａ）および図１（Ｂ）の左右方向の左側、図２（Ａ）および図３の左下−右上方向の左下側）に突出している。その部分は、接続面５０ｐ１を備えている。つまり、正極端子５０ｐの接続面５０ｐ１と負極端子５０ｎの接続面５０ｎ１とは、突出電気絶縁部ＥＩＳ１の分だけ第１方向（図１（Ａ）および図１（Ｂ）の左右方向、図２（Ａ）および図３の左下−右上方向）に離間し、かつ、突出電気絶縁部ＥＩＳ１によって電気的に絶縁されている。
詳細には、正極端子５０ｐのＵ相の突出部５０ｐ２の一部分が、Ｕ相の突出電気絶縁部ＥＩＳ１よりも第１方向の他方の側（図１（Ａ）および図１（Ｂ）の左右方向の左側、図２（Ａ）および図３の左下−右上方向の左下側）に突出している。正極端子５０ｐのＵ相のその部分は、Ｕ相の正極側導電体ＰＩの接続面ＰＩＶと重なる接続面５０ｐ１を備えている。正極端子５０ｐのＵ相の接続面５０ｐ１と負極端子５０ｎのＵ相の接続面５０ｎ１とは、Ｕ相の突出電気絶縁部ＥＩＳ１の分だけ第１方向（図１（Ａ）および図１（Ｂ）の左右方向、図２（Ａ）および図３の左下−右上方向）に離間し、かつ、Ｕ相の突出電気絶縁部ＥＩＳ１によって電気的に絶縁されている。
正極端子５０ｐのＶ相の突出部５０ｐ２の一部分は、Ｖ相の突出電気絶縁部ＥＩＳ１よりも第１方向の他方の側（図２（Ａ）および図３の左下−右上方向の左下側）に突出している。正極端子５０ｐのＶ相のその部分は、Ｖ相の正極側導電体ＰＩの接続面ＰＩＶと重なる接続面５０ｐ１を備えている。正極端子５０ｐのＶ相の接続面５０ｐ１と負極端子５０ｎのＶ相の接続面５０ｎ１とは、Ｖ相の突出電気絶縁部ＥＩＳ１の分だけ第１方向（図２（Ａ）および図３の左下−右上方向）に離間し、かつ、Ｖ相の突出電気絶縁部ＥＩＳ１によって電気的に絶縁されている。
正極端子５０ｐのＷ相の突出部５０ｐ２の一部分は、Ｗ相の突出電気絶縁部ＥＩＳ１よりも第１方向の他方の側に突出している。正極端子５０ｐのＷ相のその部分は、Ｗ相の正極側導電体ＰＩの接続面ＰＩＶと重なる接続面５０ｐ１を備えている。正極端子５０ｐのＷ相の接続面５０ｐ１と負極端子５０ｎのＷ相の接続面５０ｎ１とは、Ｗ相の突出電気絶縁部ＥＩＳ１の分だけ第１方向に離間し、かつ、Ｗ相の突出電気絶縁部ＥＩＳ１によって電気的に絶縁されている。
他の例では、正極端子５０ｐの１相分の突出部５０ｐ２の一部分が、１相分の突出電気絶縁部ＥＩＳ１よりも第１方向の他方の側に突出し、１相分のその部分が、１相分の正極側導電体ＰＩの接続面ＰＩＶと重なる接続面５０ｐ１を備え、正極端子５０ｐの１相分の接続面５０ｐ１と負極端子５０ｎの１相分の接続面５０ｎ１とが、１相分の突出電気絶縁部ＥＩＳ１の分だけ第１方向に離間し、かつ、１相分の突出電気絶縁部ＥＩＳ１によって電気的に絶縁されていてもよい。
【００３０】
第１実施形態の電力変換装置１では、上述したように、互いに平行な接続面ＰＩＶと接続面５０ｐ１とが重なることよって、正極極側導電体ＰＩと正極端子５０ｐとが電気的に接続され、互いに平行な接続面ＮＩＶと接続面５０ｎ１とが重なることによって、負極側導電体ＮＩと負極端子５０ｎとが電気的に接続される。
そのため、第１実施形態の電力変換装置１では、正極側導電体ＰＩと正極端子５０ｐとの電気的な接続部分、および、負極側導電体ＮＩと負極端子５０ｎとの電気的な接続部分の浮遊インダクタンスの増加を抑制することができる。つまり、パワーモジュール２１とコンデンサユニット２３との電気的な接続部分の浮遊インダクタンスの増加を抑制することができる。
【００３１】
第１実施形態の電力変換装置１では、上述したように、正極側導電体ＰＩよりも第１方向の一方の側に突出している突出電気絶縁部ＰＮＳ１を備える電気絶縁部ＰＮＳによって正極側導電体ＰＩと負極側導電体ＮＩとが電気的に絶縁される。また、負極端子５０ｎよりも第１方向の他方の側に突出している突出電気絶縁部ＥＩＳ１を備える電気絶縁部ＥＩＳによって正極端子５０ｐと負極端子５０ｎとが電気的に絶縁される。
そのため、第１実施形態の電力変換装置１では、正極側導電体ＰＩと正極端子５０ｐとの電気的な接続部分、および、負極側導電体ＮＩと負極端子５０ｎとの電気的な接続部分の浮遊インダクタンスの増加を抑制しつつ、突出電気絶縁部ＰＮＳ１によって正極側導電体ＰＩと負極側導電体ＮＩとの間の電気絶縁性を確保すると共に、突出電気絶縁部ＥＩＳ１によって正極端子５０ｐと負極端子５０ｎとの間の電気絶縁性を確保することができる。
【００３２】
第１実施形態の電力変換装置１では、上述したように、負極側導電体ＮＩの突出部ＮＩＲのうちの突出電気絶縁部ＰＮＳ１よりも第１方向の一方の側に突出している部分が、負極端子５０ｎの接続面５０ｎ１と重なる接続面ＮＩＶを備えている。また、正極端子５０ｐの突出部５０ｐ２のうちの突出電気絶縁部ＥＩＳ１よりも第１方向の他方の側に突出している部分が、正極側導電体ＰＩの接続面ＰＩＶと重なる接続面５０ｐ１を備えている。
そのため、第１実施形態の電力変換装置１では、正極側導電体ＰＩと正極端子５０ｐとの電気的な接続部分、および、負極側導電体ＮＩと負極端子５０ｎとの電気的な接続部分の浮遊インダクタンスの増加を抑制しつつ、突出電気絶縁部ＰＮＳ１によって正極側導電体ＰＩと負極端子５０ｎとの間の電気絶縁性を確保すると共に、突出電気絶縁部ＥＩＳ１によって正極端子５０ｐと負極側導電体ＮＩとの間の電気絶縁性を確保することができる。
【００３３】
詳細には、図１（Ａ）および図１（Ｂ）に示す例では、パワーモジュール２１の例えばモールド樹脂などのような絶縁物(図示せず)からの正極側導電体ＰＩの突出長と、負極側導電体ＮＩの突出長と、電気絶縁部ＰＮＳの突出長とが、「（負極側導電体ＮＩの突出長）＞（電気絶縁部ＰＮＳの突出長）＞（正極側導電体ＰＩの突出長）」の関係を有する。
コンデンサユニット２３のコンデンサケース２３Ｂ（図３参照）からの正極端子５０ｐの突出長と、負極端子５０ｎの突出長と、電気絶縁部ＥＩＳの突出長とが、「（正極端子５０ｐの突出長）＞（電気絶縁部ＥＩＳの突出長）＞（負極端子５０ｎの突出長）」の関係を有する。
他の例では、パワーモジュール２１の例えばモールド樹脂などのような絶縁物からの正極側導電体ＰＩの突出長と、負極側導電体ＮＩの突出長と、電気絶縁部ＰＮＳの突出長とが、「（負極側導電体ＮＩの突出長）＜（電気絶縁部ＰＮＳの突出長）＜（正極側導電体ＰＩの突出長）」の関係を有し、コンデンサユニット２３のコンデンサケース２３Ｂ（図３参照）からの正極端子５０ｐの突出長と、負極端子５０ｎの突出長と、電気絶縁部ＥＩＳの突出長とが、「（正極端子５０ｐの突出長）＜（電気絶縁部ＥＩＳの突出長）＜（負極端子５０ｎの突出長）」の関係を有してもよい。
【００３４】
図１（Ａ）および図１（Ｂ）に示す例では、正極側導電体ＰＩからの電気絶縁部ＰＮＳの突出長は、正極側導電体ＰＩと負極側導電体ＮＩとの間の電気絶縁距離を確保できる値である。負極端子５０ｎからの電気絶縁部ＥＩＳの突出長は、正極端子５０ｐと負極端子５０ｎとの間の電気絶縁距離を確保できる値である。正極側導電体ＰＩからの電気絶縁部ＰＮＳの突出長、および、負極端子５０ｎからの電気絶縁部ＥＩＳの突出長は、負極側導電体ＮＩと正極端子５０ｐとの間の電気絶縁距離を確保できる値である。正極側導電体ＰＩからの電気絶縁部ＰＮＳの突出長、および、負極端子５０ｎからの電気絶縁部ＥＩＳの突出長は、正極側導電体ＰＩと負極端子５０ｎとの間の電気絶縁距離を確保できる値である。
【００３５】
図２（Ａ）、図２（Ｂ）および図３に示す例では、Ｕ相の導電体組ＰＮの正極側導電体ＰＩの接続面ＰＩＶおよび負極側導電体ＮＩの接続面ＮＩＶの第１方向に直交する第２方向（図２（Ａ）、図２（Ｂ）および図３の左上−右下方向）の幅と、Ｖ相の導電体組ＰＮの正極側導電体ＰＩの接続面ＰＩＶおよび負極側導電体ＮＩの接続面ＮＩＶの第２方向の幅と、Ｗ相の導電体組ＰＮの正極側導電体ＰＩの接続面ＰＩＶおよび負極側導電体ＮＩの接続面ＮＩＶの第２方向の幅との合計が、導電体組５０ｐｎの第２方向の幅よりも小さい。
そのため、第１実施形態の電力変換装置１では、Ｕ相、Ｖ相およびＷ相の正極側導電体ＰＩの接続面ＰＩＶおよび負極側導電体ＮＩの接続面ＮＩＶの第２方向の幅の合計が導電体組５０ｐｎの第２方向の幅と等しい場合よりも、導電体組ＰＮと導電体組５０ｐｎとの接合作業を容易にすることができる。
詳細には、第１実施形態の電力変換装置１では、Ｕ相のパワーモジュール２１の高さ（Ｕ相の導電体組ＰＮの高さ）、Ｖ相のパワーモジュール２１の高さ（Ｖ相の導電体組ＰＮの高さ）およびＷ相のパワーモジュール２１の高さ（Ｗ相の導電体組ＰＮの高さ）を、コンデンサユニット２３の導電体組５０ｐｎの高さに合わせることができるため、ボルト以外の溶接等の手法によって、Ｕ相、Ｖ相およびＷ相の導電体組ＰＮをコンデンサユニット２３の導電体組５０ｐｎに締結することができる。
つまり、第１実施形態の電力変換装置１では、幅広の導電体組５０ｐｎに対して、導電体組ＰＮは幅狭となっており、それらの接合部分の面積が導電体組５０ｐｎの幅に比べて狭くなっており、接合部分でそれらを密着させることができる（接合部分で隙間が生じにくい）。また、導電体組５０ｐｎは幅広のため、磁束のキャンセル効果によって、インダクタンス低減効果をより得ることができる。
【００３６】
＜第２実施形態＞
以下、本発明の電力変換装置の第２実施形態について説明する。
第２実施形態の電力変換装置１は、後述する点を除き、上述した第１実施形態の電力変換装置１と同様に構成されている。従って、第２実施形態の電力変換装置１によれば、後述する点を除き、上述した第１実施形態の電力変換装置１と同様の効果を奏することができる。
【００３７】
図４は第２実施形態の電力変換装置１の概略構成の一例を示す図である。詳細には、図４（Ａ）はパワーモジュール（半導体モジュール）２１がコンデンサユニット２３に電気的に接続される前の状態の電力変換装置１の概略的な正面図である。図４（Ｂ）はパワーモジュール２１がコンデンサユニット２３に電気的に接続された後の状態の電力変換装置１の概略的な正面図である。
【００３８】
図１（Ａ）および図１（Ｂ）に示す例では、パワーモジュール２１がコンデンサユニット２３に電気的に接続されると、正極端子５０ｐが、正極側導電体ＰＩを隔てて負極側導電体ＮＩの反対側（図１（Ａ）および図１（Ｂ）の下側）に配置される。負極側導電体ＮＩは、負極端子５０ｎを隔てて正極端子５０ｐの反対側（図１（Ａ）および図１（Ｂ）の上側）に配置される。つまり、正極側導電体ＰＩの接続面ＰＩＶが、正極側導電体ＰＩのうちの負極側導電体ＮＩの反対側（図１（Ａ）および図１（Ｂ）の下側）に形成されている。負極端子５０ｎの接続面５０ｎ１は、負極端子５０ｎのうちの正極端子５０ｐの反対側（図１（Ａ）および図１（Ｂ）の上側）に形成されている。
一方、図４（Ａ）および図４（Ｂ）に示す例では、パワーモジュール２１がコンデンサユニット２３に電気的に接続されると、正極端子５０ｐが、正極側導電体ＰＩと負極側導電体ＮＩとの間に配置される。すなわち、導電体組ＰＮは、正極端子５０ｐの先端部分と相補形状の隙間を正極側導電体ＰＩと負極側導電体ＮＩとの間に有する。
また、図４（Ａ）および図４（Ｂ）に示す例では、パワーモジュール２１がコンデンサユニット２３に電気的に接続されると、負極側導電体ＮＩは、正極端子５０ｐと負極端子５０ｎとの間に配置される。すなわち、導電体組５０ｐｎは、負極側導電体ＮＩの先端部分と相補形状の隙間を正極端子５０ｐと負極端子５０ｎとの間に有する。
つまり、図４（Ａ）および図４（Ｂ）に示す例では、正極側導電体ＰＩの接続面ＰＩＶが、正極側導電体ＰＩのうちの負極側導電体ＮＩの側（図４（Ａ）および図４（Ｂ）の上側）に形成されている。負極端子５０ｎの接続面５０ｎ１は、負極端子５０ｎのうちの正極端子５０ｐの側（図４（Ａ）および図４（Ｂ）の下側）に形成されている。
【００３９】
第２実施形態の電力変換装置１では、図４（Ａ）および図４（Ｂ）に示すように、正極端子５０ｐの先端部分が、正極側導電体ＰＩと負極側導電体ＮＩとの間に設けられた隙間に挿入される。負極側導電体ＮＩの先端部分は、正極端子５０ｐと負極端子５０ｎとの間に設けられた隙間に挿入される。
そのため、第２実施形態の電力変換装置１では、図１（Ｂ）中の正極側導電体ＰＩと負極側導電体ＮＩと正極端子５０ｐと負極端子５０ｎとの間の空間を排除した平行平板構成を実現することができ、パワーモジュール２１とコンデンサユニット２３との電気的な接続部分の浮遊インダクタンスの増加を更に抑制することができる。
【００４０】
＜第３実施形態＞
以下、本発明の電力変換装置の第３実施形態について説明する。
第３実施形態の電力変換装置１は、後述する点を除き、上述した第１実施形態の電力変換装置１と同様に構成されている。従って、第３実施形態の電力変換装置１によれば、後述する点を除き、上述した第１実施形態の電力変換装置１と同様の効果を奏することができる。
【００４１】
図５は第３実施形態の電力変換装置１の一例の斜視図である。詳細には、図５はコンデンサケース２３Ｂ（図３参照）およびポッティング材を透視して見た、パワーモジュール２１がコンデンサユニット２３に電気的に接続された後の状態の電力変換装置１の斜視図である。
【００４２】
図２（Ａ）、図２（Ｂ）および図３に示す例では、上述したように、電力変換装置１が、Ｕ相の導電体組ＰＮと、Ｖ相の導電体組ＰＮと、Ｗ相の導電体組ＰＮと、導電体組５０ｐｎとを備えている。
Ｕ相の導電体組ＰＮの正極側導電体ＰＩの接続面ＰＩＶ（図１（Ａ）および図１（Ｂ）参照）および負極側導電体ＮＩの接続面ＮＩＶ（図１（Ａ）および図１（Ｂ）参照）の第１方向に直交する第２方向（図２（Ａ）、図２（Ｂ）および図３の左上−右下方向）の幅は、導電体組５０ｐｎの正極端子５０ｐのＵ相の接続面５０ｐ１および負極端子５０ｎのＵ相の接続面５０ｎ１の第２方向の幅とほぼ等しい。
Ｖ相の導電体組ＰＮの正極側導電体ＰＩの接続面ＰＩＶおよび負極側導電体ＮＩの接続面ＮＩＶの第２方向の幅は、導電体組５０ｐｎの正極端子５０ｐのＶ相の接続面５０ｐ１および負極端子５０ｎのＶ相の接続面５０ｎ１の第２方向の幅とほぼ等しい。
Ｗ相の導電体組ＰＮの正極側導電体ＰＩの接続面ＰＩＶおよび負極側導電体ＮＩの接続面ＮＩＶの第２方向の幅は、導電体組５０ｐｎの正極端子５０ｐのＷ相の接続面５０ｐ１および負極端子５０ｎのＷ相の接続面５０ｎ１の第２方向の幅とほぼ等しい。
【００４３】
図５に示す例では、図２（Ａ）、図２（Ｂ）および図３に示す例と同様に、電力変換装置１が、Ｕ相の導電体組ＰＮと、Ｖ相の導電体組ＰＮと、Ｗ相の導電体組ＰＮと、導電体組５０ｐｎとを備えている。
図５に示す例では、図２（Ａ）、図２（Ｂ）および図３に示す例と同様に、Ｗ相の導電体組ＰＮの正極側導電体ＰＩの接続面ＰＩＶおよび負極側導電体ＮＩの接続面ＮＩＶの第１方向に直交する第２方向（図５の左上−右下方向）の幅Ｗ１と、Ｕ相の導電体組ＰＮの正極側導電体ＰＩの接続面ＰＩＶおよび負極側導電体ＮＩの接続面ＮＩＶの第２方向の幅と、Ｖ相の導電体組ＰＮの正極側導電体ＰＩの接続面ＰＩＶおよび負極側導電体ＮＩの接続面ＮＩＶの第２方向の幅とが、導電体組５０ｐｎの第２方向の幅よりも小さい。
詳細には、図５に示す例では、図２（Ａ）、図２（Ｂ）および図３に示す例とは異なり、Ｗ相の導電体組ＰＮの正極側導電体ＰＩの接続面ＰＩＶおよび負極側導電体ＮＩの接続面ＮＩＶの第１方向に直交する第２方向（図５の左上−右下方向）の幅Ｗ１は、導電体組５０ｐｎの正極端子５０ｐのＷ相の接続面５０ｐ１および負極端子５０ｎのＷ相の接続面５０ｎ１の第２方向の幅Ｗ２よりも小さい。
同様に、Ｕ相の導電体組ＰＮの正極側導電体ＰＩの接続面ＰＩＶ（図１（Ａ）および図１（Ｂ）参照）および負極側導電体ＮＩの接続面ＮＩＶ（図１（Ａ）および図１（Ｂ）参照）の第２方向（図５の左上−右下方向）の幅Ｗ１は、導電体組５０ｐｎの正極端子５０ｐのＵ相の接続面５０ｐ１および負極端子５０ｎのＵ相の接続面５０ｎ１の第２方向の幅Ｗ２よりも小さい。
また、Ｖ相の導電体組ＰＮの正極側導電体ＰＩの接続面ＰＩＶおよび負極側導電体ＮＩの接続面ＮＩＶの第２方向の幅Ｗ１は、導電体組５０ｐｎの正極端子５０ｐのＶ相の接続面５０ｐ１および負極端子５０ｎのＶ相の接続面５０ｎ１の第２方向の幅Ｗ２よりも小さい。
【００４４】
そのため、第３実施形態の電力変換装置１では、Ｕ相、Ｖ相およびＷ相の正極側導電体ＰＩの接続面ＰＩＶおよび負極側導電体ＮＩの接続面ＮＩＶの第２方向の幅Ｗ１の合計が導電体組５０ｐｎの第２方向の幅と等しい場合よりも、導電体組ＰＮと導電体組５０ｐｎとの接合作業を容易にすることができる。
詳細には、第３実施形態の電力変換装置１では、Ｕ相のパワーモジュール２１の高さ（Ｕ相の導電体組ＰＮの高さ）、Ｖ相のパワーモジュール２１の高さ（Ｖ相の導電体組ＰＮの高さ）およびＷ相のパワーモジュール２１の高さ（Ｗ相の導電体組ＰＮの高さ）を、コンデンサユニット２３の導電体組５０ｐｎの高さに合わせることができるため、ボルト以外の溶接等の手法によって、Ｕ相、Ｖ相およびＷ相の導電体組ＰＮをコンデンサユニット２３の導電体組５０ｐｎに締結することができる。
【００４５】
第１および第３実施形態の電力変換装置１では、図２（Ｂ）に示すように、負極端子５０ｎのうちのＵ相、Ｖ相およびＷ相の接続面５０ｐ１が位置する箇所のみが、正極端子５０ｐよりも引っ込められた形状（切り欠かれた形状）になっている。その箇所以外では、正極端子５０ｐと負極端子５０ｎとが平行平板構成になっている。
そのため、第３実施形態の電力変換装置１では、Ｕ相、Ｖ相およびＷ相の正極側導電体ＰＩの接続面ＰＩＶおよび負極側導電体ＮＩの接続面ＮＩＶの幅寸法Ｗ１が、正極端子５０ｐのＵ相、Ｖ相およびＷ相の接続面５０ｐ１および負極端子５０ｎのＵ相、Ｖ相およびＷ相の接続面５０ｎ１の幅寸法Ｗ２より小さくても、正極端子５０ｐと負極端子５０ｎとがほぼ全域で平行平板構成になっているため、浮遊インダクタンスの増加を十分に抑制することができる。
【００４６】
詳細には、第３実施形態の電力変換装置１では、Ｕ相、Ｖ相およびＷ相の正極側導電体ＰＩの接続面ＰＩＶが接合される正極端子５０ｐのＵ相、Ｖ相およびＷ相の接続面５０ｐ１が、凹状に形成されている。また、Ｕ相、Ｖ相およびＷ相の負極側導電体ＮＩの接続面ＮＩＶが接合される負極端子５０ｎのＵ相、Ｖ相およびＷ相の接続面５０ｎ１が、凹状に形成されている。
【００４７】
＜第４実施形態＞
第４実施形態の電力変換装置１では、上述した第１から第３実施形態の電力変換装置１の各例が適宜組み合わされている。
【００４８】
＜適用例＞
以下、本発明の電力変換装置の適用例について添付図面を参照しながら説明する。
図６は第１から第４実施形態の電力変換装置１を適用可能な車両１０の一部の一例を示す図である。
【００４９】
Ｕ相、Ｖ相およびＷ相を有する第１から第４実施形態の電力変換装置１と、１相分の第１から第４実施形態の電力変換装置１とが図６に示す例に適用される場合には、２個のＵ相、Ｖ相およびＷ相を有する第１から第４実施形態の電力変換装置１と、１個の１相分の第１から第４実施形態の電力変換装置１とが図６に示す車両１０に用いられる。
詳細には、１つ目のＵ相、Ｖ相およびＷ相を有する第１から第４実施形態の電力変換装置１が、図６に示す第１電力変換回路部３１およびコンデンサユニット２３の一部を構成する。２つ目のＵ相、Ｖ相およびＷ相を有する第１から第４実施形態の電力変換装置１が、図６に示す第２電力変換回路部３２およびコンデンサユニット２３の一部を構成する。１個の１相分の第１から第４実施形態の電力変換装置１が、図６に示す第２電力変換回路部３２およびコンデンサユニット２３の一部を構成する。
【００５０】
１相分の第１から第４実施形態の電力変換装置１のみが図６に示す例に適用される場合には、７個の１相分の第１から第４実施形態の電力変換装置１が図６に示す車両１０に用いられる。
７個のうちの３個の１相分の第１から第４実施形態の電力変換装置１が、図６に示す第１電力変換回路部３１およびコンデンサユニット２３の一部を構成する。７個のうちの他の３個の１相分の第１から第４実施形態の電力変換装置１が、図６に示す第２電力変換回路部３２およびコンデンサユニット２３の一部を構成する。７個のうちの残りの１個の１相分の第１から第４実施形態の電力変換装置１が、図６に示す第３電力変換回路部３３およびコンデンサユニット２３の一部を構成する。
【００５１】
図６に示す例では、車両１０が、電力変換装置１に加えて、バッテリ１１（ＢＡＴＴ）と、走行駆動用の第１モータ１２（ＭＯＴ）、発電用の第２モータ１３（ＧＥＮ）とを備えている。
バッテリ１１は、バッテリケースと、バッテリケース内に収容される複数のバッテリモジュールとを備えている。バッテリモジュールは、直列に接続される複数のバッテリセルを備えている。バッテリ１１は、電力変換装置１の直流コネクタ１ａに接続される正極端子ＰＢ及び負極端子ＮＢを備えている。正極端子ＰＢ及び負極端子ＮＢは、バッテリケース内において直列に接続される複数のバッテリモジュールの正極端及び負極端に接続されている。
【００５２】
第１モータ１２は、バッテリ１１から供給される電力によって回転駆動力（力行動作）を発生させる。第２モータ１３は、回転軸に入力される回転駆動力によって発電電力を発生させる。ここで、第２モータ１３には、内燃機関の回転動力が伝達可能に構成されている。例えば、第１モータ１２及び第２モータ１３の各々は、３相交流のブラシレスＤＣモータである。３相は、Ｕ相、Ｖ相、及びＷ相である。第１モータ１２及び第２モータ１３の各々は、インナーロータ型である。第１モータ１２及び第２モータ１３は、界磁用の永久磁石を有する回転子と、回転子を回転させる回転磁界を発生させるための３相のステータ巻線を有する固定子とをそれぞれ備えている。第１モータ１２の３相のステータ巻線は、電力変換装置１の第１の３相コネクタ１ｂに接続されている。第２モータ１３の３相のステータ巻線は、電力変換装置１の第２の３相コネクタ１ｃに接続されている。
【００５３】
図６に示す電力変換装置１は、パワーモジュール２１と、リアクトル２２と、コンデンサユニット２３と、抵抗器２４と、第１電流センサ２５と、第２電流センサ２６と、第３電流センサ２７と、電子制御ユニット２８（ＭＯＴ  ＧＥＮ  ＥＣＵ）と、ゲートドライブユニット２９（Ｇ／Ｄ  ＶＣＵ  ＥＣＵ）とを備えている。
パワーモジュール２１は、第１電力変換回路部３１と、第２電力変換回路部３２と、第３電力変換回路部３３とを備えている。
【００５４】
第１電力変換回路部３１の出力側導電体（出力バスバー）５１は、Ｕ相、Ｖ相およびＷ相の３相分まとめられて、第１の３相コネクタ１ｂに接続されている。すなわち、第１電力変換回路部３１の出力側導電体５１は、第１の３相コネクタ１ｂを介して第１モータ１２の３相のステータ巻線に接続されている。
第１電力変換回路部３１の正極側導電体（Ｐバスバー）ＰＩは、Ｕ相、Ｖ相およびＷ相の３相分まとめられて、バッテリ１１の正極端子ＰＢに接続されている。
第１電力変換回路部３１の負極側導電体（Ｎバスバー）ＮＩは、Ｕ相、Ｖ相およびＷ相の３相分まとめられて、バッテリ１１の負極端子ＮＢに接続されている。
つまり、第１電力変換回路部３１は、バッテリ１１から第３電力変換回路部３３を介して入力される直流電力を３相交流電力に変換する。
【００５５】
第２電力変換回路部３２の出力側導電体（出力バスバー）５２は、Ｕ相、Ｖ相およびＷ相の３相分まとめられて、第２の３相コネクタ１ｃに接続されている。すなわち、第２電力変換回路部３２の出力側導電体５２は、第２の３相コネクタ１ｃを介して第２モータ１３の３相のステータ巻線に接続されている。
第２電力変換回路部３２の正極側導電体（Ｐバスバー）ＰＩは、Ｕ相、Ｖ相およびＷ相の３相分まとめられて、バッテリ１１の正極端子ＰＢと、第１電力変換回路部３１の正極側導電体ＰＩとに接続されている。
第２電力変換回路部３２の負極側導電体（Ｎバスバー）ＮＩは、Ｕ相、Ｖ相およびＷ相の３相分まとめられて、バッテリ１１の負極端子ＮＢと、第１電力変換回路部３１の負極側導電体ＮＩとに接続されている。
第２電力変換回路部３２は、第２モータ１３から入力される３相交流電力を直流電力に変換する。第２電力変換回路部３２によって変換された直流電力は、バッテリ１１及び第１電力変換回路部３１の少なくとも一方に供給可能である。
【００５６】
図６に示す例では、第１電力変換回路部３１のＵ相の上アーム素子ＵＨ、Ｖ相の上アーム素子ＶＨ、Ｗ相の上アーム素子ＷＨ、および、第２電力変換回路部３２のＵ相の上アーム素子ＵＨ、Ｖ相の上アーム素子ＶＨ、Ｗ相の上アーム素子ＷＨが、正極側導電体ＰＩに接続されている。正極側導電体ＰＩは、コンデンサユニット２３の正極端子（正極バスバー）５０ｐに接続されている。
第１電力変換回路部３１のＵ相の下アーム素子ＵＬ、Ｖ相の下アーム素子ＶＬ、Ｗ相の下アーム素子ＷＬ、および、第２電力変換回路部３２のＵ相の下アーム素子ＵＬ、Ｖ相の下アーム素子ＶＬ、Ｗ相の下アーム素子ＷＬが、負極側導電体ＮＩに接続されている。負極側導電体ＮＩは、コンデンサユニット２３の負極端子（負極バスバー）５０ｎに接続されている。
【００５７】
図６に示す例では、第１電力変換回路部３１のＵ相の上アーム素子ＵＨと下アーム素子ＵＬとの接続点ＴＩと、Ｖ相の上アーム素子ＶＨと下アーム素子ＶＬとの接続点ＴＩと、Ｗ相の上アーム素子ＷＨと下アーム素子ＷＬとの接続点ＴＩとが、出力側導電体５１に接続されている。
第２電力変換回路部３２のＵ相の上アーム素子ＵＨと下アーム素子ＵＬとの接続点ＴＩと、Ｖ相の上アーム素子ＶＨと下アーム素子ＶＬとの接続点ＴＩと、Ｗ相の上アーム素子ＷＨと下アーム素子ＷＬとの接続点ＴＩとは、出力側導電体５２に接続されている。
【００５８】
図６に示す例では、第１電力変換回路部３１の出力側導電体５１が、第１入出力端子Ｑ１に接続されている。第１入出力端子Ｑ１は、第１の３相コネクタ１ｂに接続されている。第１電力変換回路部３１の各相の接続点ＴＩは、出力側導電体５１、第１入出力端子Ｑ１、及び第１の３相コネクタ１ｂを介して第１モータ１２の各相のステータ巻線に接続されている。
第２電力変換回路部３２の出力側導電体５２は、第２入出力端子Ｑ２に接続されている。第２入出力端子Ｑ２は、第２の３相コネクタ１ｃに接続されている。第２電力変換回路部３２の各相の接続点ＴＩは、出力側導電体５２、第２入出力端子Ｑ２、及び第２の３相コネクタ１ｃを介して第２モータ１３の各相のステータ巻線に接続されている。
【００５９】
図６に示す例では、第１電力変換回路部３１の上アーム素子ＵＨ、ＶＨ、ＷＨおよび下アーム素子ＵＬ、ＶＬ、ＷＬのそれぞれが、フライホイールダイオードを備えている。
同様に、第２電力変換回路部３２の上アーム素子ＵＨ、ＶＨ、ＷＨおよび下アーム素子ＵＬ、ＶＬ、ＷＬのそれぞれが、フライホイールダイオードを備えている。
【００６０】
図６に示す例では、ゲートドライブユニット２９が、第１電力変換回路部３１の上アーム素子ＵＨ、ＶＨ、ＷＨおよび下アーム素子ＵＬ、ＶＬ、ＷＬのそれぞれにゲート信号を入力する。
同様に、ゲートドライブユニット２９は、第２電力変換回路部３２の上アーム素子ＵＨ、ＶＨ、ＷＨおよび下アーム素子ＵＬ、ＶＬ、ＷＬのそれぞれにゲート信号を入力する。
第１電力変換回路部３１は、バッテリ１１から第３電力変換回路部３３を介して入力される直流電力を３相交流電力に変換し、第１モータ１２の３相のステータ巻線に交流のＵ相電流、Ｖ相電流、及びＷ相電流を供給する。第２電力変換回路部３２は、第２モータ１３の回転に同期がとられた第２電力変換回路部３２の上アーム素子ＵＨ、ＶＨ、ＷＨおよび下アーム素子ＵＬ、ＶＬ、ＷＬのそれぞれのオン（導通）／オフ（遮断）駆動によって、第２モータ１３の３相のステータ巻線から出力される３相交流電力を直流電力に変換する。
【００６１】
第３電力変換回路部３３は、電圧コントロールユニット（ＶＣＵ）である。第３電力変換回路部３３は、１相分の上アーム素子Ｓ１と下アーム素子Ｓ２とを備えている。
【００６２】
上アーム素子Ｓ１の正極側の電極は、正極バスバーＰＶに接続されている。正極バスバーＰＶは、コンデンサユニット２３の正極端子（正極バスバー）５０ｐに接続されている。下アーム素子Ｓ２の負極側の電極は、負極バスバーＮＶに接続されている。負極バスバーＮＶは、コンデンサユニット２３の負極端子（負極バスバー）５０ｎに接続されている。コンデンサユニット２３の負極端子５０ｎは、バッテリ１１の負極端子ＮＢに接続されている。上アーム素子Ｓ１の負極側の電極は、下アーム素子Ｓ２の正極側の電極に接続されている。上アーム素子Ｓ１と、下アーム素子Ｓ２とは、フライホイールダイオードを備えている。
【００６３】
第３電力変換回路部３３の上アーム素子Ｓ１と下アーム素子Ｓ２との接続点を構成するバスバー５３は、リアクトル２２の一端に接続されている。リアクトル２２の他端は、バッテリ１１の正極端子ＰＢに接続されている。リアクトル２２は、コイルと、コイルの温度を検出する温度センサとを備えている。温度センサは、信号線によって電子制御ユニット２８に接続されている。
【００６４】
第３電力変換回路部３３は、ゲートドライブユニット２９から上アーム素子Ｓ１のゲート電極と下アーム素子Ｓ２のゲート電極とに入力されるゲート信号に基づき、上アーム素子Ｓ１と下アーム素子Ｓ２とのオン（導通）／オフ（遮断）を切り替える。
【００６５】
第３電力変換回路部３３は、昇圧時において、下アーム素子Ｓ２がオン（導通）及び上アーム素子Ｓ１がオフ（遮断）に設定される第１状態と、下アーム素子Ｓ２がオフ（遮断）及び上アーム素子Ｓ１がオン（導通）に設定される第２状態とを交互に切り替える。第１状態では、順次、バッテリ１１の正極端子ＰＢ、リアクトル２２、下アーム素子Ｓ２、バッテリ１１の負極端子ＮＢへと電流が流れ、リアクトル２２が直流励磁されて磁気エネルギーが蓄積される。第２状態では、リアクトル２２に流れる電流が遮断されることに起因する磁束の変化を妨げるようにしてリアクトル２２の両端間に起電圧（誘導電圧）が発生する。リアクトル２２に蓄積された磁気エネルギーによる誘導電圧はバッテリ電圧に重畳されて、バッテリ１１の端子間電圧よりも高い昇圧電圧が第３電力変換回路部３３の正極バスバーＰＶと負極バスバーＮＶとの間に印加される。
【００６６】
第３電力変換回路部３３は、回生時において、第２状態と、第１状態とを交互に切り替える。第２状態では、順次、第３電力変換回路部３３の正極バスバーＰＶ、上アーム素子Ｓ１、リアクトル２２、バッテリ１１の正極端子ＰＢへと電流が流れ、リアクトル２２が直流励磁されて磁気エネルギーが蓄積される。第１状態では、リアクトル２２に流れる電流が遮断されることに起因する磁束の変化を妨げるようにしてリアクトル２２の両端間に起電圧（誘導電圧）が発生する。リアクトル２２に蓄積された磁気エネルギーによる誘導電圧は降圧されて、第３電力変換回路部３３の正極バスバーＰＶ及び負極バスバーＮＶ間の電圧よりも低い降圧電圧がバッテリ１１の正極端子ＰＢと負極端子ＮＢとの間に印加される。
【００６７】
コンデンサユニット２３は、第１平滑コンデンサ４１と、第２平滑コンデンサ４２と、ノイズフィルタ４３とを備えている。
【００６８】
第１平滑コンデンサ４１は、バッテリ１１の正極端子ＰＢと負極端子ＮＢとの間に接続されている。第１平滑コンデンサ４１は、第３電力変換回路部３３の回生時における上アーム素子Ｓ１及び下アーム素子Ｓ２のオン／オフの切換動作に伴って発生する電圧変動を平滑化する。
第２平滑コンデンサ４２は、第１電力変換回路部３１及び第２電力変換回路部３２の各々の正極側導電体ＰＩ及び負極側導電体ＮＩ間、並びに第３電力変換回路部３３の正極バスバーＰＶ及び負極バスバーＮＶ間に接続されている。第２平滑コンデンサ４２は、正極端子（正極バスバー）５０ｐ及び負極端子（負極バスバー）５０ｎを介して、複数の正極側導電体ＰＩ及び負極側導電体ＮＩ、並びに正極バスバーＰＶ及び負極バスバーＮＶに接続されている。第２平滑コンデンサ４２は、第１電力変換回路部３１及び第２電力変換回路部３２の上アーム素子ＵＨ、ＶＨ、ＷＨおよび下アーム素子ＵＬ、ＶＬ、ＷＬのそれぞれのオン／オフの切換動作に伴って発生する電圧変動を平滑化する。第２平滑コンデンサ４２は、第３電力変換回路部３３の昇圧時における上アーム素子Ｓ１及び下アーム素子Ｓ２のオン／オフの切換動作に伴って発生する電圧変動を平滑化する。
【００６９】
ノイズフィルタ４３は、第１電力変換回路部３１及び第２電力変換回路部３２の各々の正極側導電体ＰＩ及び負極側導電体ＮＩ間、並びに第３電力変換回路部３３の正極バスバーＰＶ及び負極バスバーＮＶ間に接続されている。ノイズフィルタ４３は、直列に接続される２つのコンデンサを備えている。２つのコンデンサの接続点は、車両１０のボディグラウンド等に接続されている。
抵抗器２４は、第１電力変換回路部３１及び第２電力変換回路部３２の各々の正極側導電体ＰＩ及び負極側導電体ＮＩ間、並びに第３電力変換回路部３３の正極バスバーＰＶ及び負極バスバーＮＶ間に接続されている。
【００７０】
第１電流センサ２５は、第１電力変換回路部３１の各相の接続点ＴＩを成し、第１入出力端子Ｑ１と接続される出力側導電体５１に配置され、Ｕ相、Ｖ相、及びＷ相の各々の電流を検出する。第２電流センサ２６は、第２電力変換回路部３２の各相の接続点ＴＩを成すとともに第２入出力端子Ｑ２と接続される出力側導電体５２に配置され、Ｕ相、Ｖ相、及びＷ相の各々の電流を検出する。第３電流センサ２７は、上アーム素子Ｓ１及び下アーム素子Ｓ２の接続点を成すとともにリアクトル２２と接続されるバスバー５３に配置され、リアクトル２２に流れる電流を検出する。
第１電流センサ２５、第２電流センサ２６、及び第３電流センサ２７の各々は、信号線によって電子制御ユニット２８に接続されている。
【００７１】
電子制御ユニット２８は、第１モータ１２及び第２モータ１３の各々の動作を制御する。例えば、電子制御ユニット２８は、ＣＰＵ（Central Processing Unit）等のプロセッサによって所定のプログラムが実行されることにより機能するソフトウェア機能部である。ソフトウェア機能部は、ＣＰＵ等のプロセッサ、プログラムを格納するＲＯＭ（Read Only Memory）、データを一時的に記憶するＲＡＭ（Random Access Memory）、及びタイマー等の電子回路を備えるＥＣＵ（Electronic Control Unit）である。なお、電子制御ユニット２８の少なくとも一部は、ＬＳＩ（Large Scale Integration）等の集積回路であってもよい。例えば、電子制御ユニット２８は、第１電流センサ２５の電流検出値と第１モータ１２に対するトルク指令値に応じた電流目標値とを用いる電流のフィードバック制御等を実行し、ゲートドライブユニット２９に入力する制御信号を生成する。例えば、電子制御ユニット２８は、第２電流センサ２６の電流検出値と第２モータ１３に対する回生指令値に応じた電流目標値とを用いる電流のフィードバック制御等を実行し、ゲートドライブユニット２９に入力する制御信号を生成する。制御信号は、第１電力変換回路部３１及び第２電力変換回路部３２の上アーム素子ＵＨ、ＶＨ、ＷＨおよび下アーム素子ＵＬ、ＶＬ、ＷＬのそれぞれをオン（導通）／オフ（遮断）駆動するタイミングを示す信号である。例えば、制御信号は、パルス幅変調された信号等である。
【００７２】
ゲートドライブユニット２９は、電子制御ユニット２８から受け取る制御信号に基づいて、第１電力変換回路部３１及び第２電力変換回路部３２の上アーム素子ＵＨ、ＶＨ、ＷＨおよび下アーム素子ＵＬ、ＶＬ、ＷＬのそれぞれを実際にオン（導通）／オフ（遮断）駆動するためのゲート信号を生成する。例えば、ゲートドライブユニット２９は、制御信号の増幅及びレベルシフト等を実行して、ゲート信号を生成する。
ゲートドライブユニット２９は、第３電力変換回路部３３の上アーム素子Ｓ１及び下アーム素子Ｓ２の各々をオン（導通）／オフ（遮断）駆動するためのゲート信号を生成する。例えば、ゲートドライブユニット２９は、第３電力変換回路部３３の昇圧時における昇圧電圧指令又は第３電力変換回路部３３の回生時における降圧電圧指令に応じたデューティー比のゲート信号を生成する。デューティー比は、上アーム素子Ｓ１及び下アーム素子Ｓ２の比率である。
【００７３】
図６に示す例では、第１から第４実施形態の電力変換装置１が車両１０に適用されるが、他の例では、例えばエレベータ、ポンプ、ファン、鉄道車両、空気調和機、冷蔵庫、洗濯機などのような車両１０以外のものに対して第１から第４実施形態の電力変換装置１を適用してもよい。
【００７４】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１…電力変換装置、ＵＨ…上アーム素子、ＵＬ…下アーム素子、ＶＨ…上アーム素子、ＶＬ…下アーム素子、ＷＨ…上アーム素子、ＷＬ…下アーム素子、ＧＳ…ゲート信号線、２１…パワーモジュール、２３…コンデンサユニット、２３Ａ…コンデンサ素子、２３Ｂ…コンデンサケース、ＰＮ…導電体組、ＰＩ…正極側導電体、ＰＩＶ…接続面、ＮＩ…負極側導電体、ＮＩＲ…突出部、ＮＩＶ…接続面、ＰＮＳ…電気絶縁部、ＰＮＳ１…突出電気絶縁部、５０ｐｎ…導電体組、５０ｐ…正極端子、５０ｐ１…接続面、５０ｐ２…突出部、５０ｎ…負極端子、５０ｎ１…接続面、ＥＩＳ…電気絶縁部、ＥＩＳ１…突出電気絶縁部、ＥＩＴ…電気絶縁部、５１…出力側導電体、１０…車両
【図１】
2019180115.tif 000003
【図２】
2019180115.tif 000004
【図３】
2019180115.tif 000005
【図４】
2019180115.tif 000006
【図５】
2019180115.tif 000007
【図６】
2019180115.tif 000008
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
上アーム素子と下アーム素子とを有する半導体素子部と、
コンデンサと、
前記上アーム素子および前記下アーム素子の一方に電気的に接続されて第１方向の一方の側に延びている素子側第１極導電体と、
前記上アーム素子および前記下アーム素子の他方に電気的に接続されて前記第１方向の前記一方の側に延びている素子側第２極導電体と、
前記コンデンサに電気的に接続されて前記第１方向の他方の側に延びているコンデンサ側第１極導電体と、
前記コンデンサに電気的に接続され前記第１方向の前記他方の側に延びているコンデンサ側第２極導電体とを備え、
前記素子側第１極導電体と前記素子側第２極導電体とは、互いに向かい合って素子側導電体組を構成し、
前記コンデンサ側第１極導電体と前記コンデンサ側第２極導電体とは、互いに向かい合ってコンデンサ側導電体組を構成し、
前記素子側第１極導電体は、前記コンデンサ側第１極導電体と重なる素子側第１接続面を備え、
前記素子側第２極導電体は、前記素子側第１極導電体よりも前記第１方向の前記一方の側に突出している素子側突出部を備え、
前記素子側突出部は、前記コンデンサ側第２極導電体と重なる素子側第２接続面を備え、
前記コンデンサ側第１極導電体は、前記コンデンサ側第２極導電体よりも前記第１方向の前記他方の側に突出しているコンデンサ側突出部を備え、
前記コンデンサ側突出部は、前記素子側第１接続面と重なるコンデンサ側第１接続面を備え、
前記コンデンサ側第２極導電体は、前記素子側第２接続面と重なるコンデンサ側第２接続面を備え、
前記素子側第１接続面および前記コンデンサ側第１接続面は平行に延びており、前記素子側第１接続面と前記コンデンサ側第１接続面とは、前記素子側第１極導電体と前記素子側第２極導電体とが互いに向かい合う面に対して平行な面で重なることによって、互いに電気的に接続され、
前記素子側第２接続面および前記コンデンサ側第２接続面は平行に延びており、前記素子側第２接続面と前記コンデンサ側第２接続面とは、前記コンデンサ側第１極導電体と前記コンデンサ側第２極導電体とが互いに向かい合う面に対して平行な面で重なることによって、互いに電気的に接続されている、
電力変換装置。
【請求項２】
複数の前記素子側導電体組を備え、
それぞれの前記素子側導電体組の前記素子側第１接続面および前記素子側第２接続面の前記第１方向に直交する第２方向の幅は、
前記コンデンサ側導電体組の前記第２方向の幅よりも小さい、
請求項１に記載の電力変換装置。
【請求項３】
前記素子側第１極導電体と前記素子側第２極導電体とを電気的に絶縁する素子側電気絶縁部と、
前記コンデンサ側第１極導電体と前記コンデンサ側第２極導電体とを電気的に絶縁するコンデンサ側電気絶縁部とを備え、
前記素子側電気絶縁部は、前記素子側第１極導電体よりも前記第１方向の前記一方の側に突出している素子側突出電気絶縁部を備え、
前記コンデンサ側電気絶縁部は、前記コンデンサ側第２極導電体よりも前記第１方向の前記他方の側に突出しているコンデンサ側突出電気絶縁部を備える、
請求項１または請求項２に記載の電力変換装置。
【請求項４】
前記素子側第２極導電体は、前記素子側突出電気絶縁部よりも前記第１方向の前記一方の側に突出しており、
前記素子側突出部のうちの前記素子側突出電気絶縁部よりも前記第１方向の前記一方の側に突出している部分が、前記素子側第２接続面を備え、
前記コンデンサ側第１極導電体は、前記コンデンサ側突出電気絶縁部よりも前記第１方向の前記他方の側に突出しており、
前記コンデンサ側突出部のうちの前記コンデンサ側突出電気絶縁部よりも前記第１方向の前記他方の側に突出している部分が、前記コンデンサ側第１接続面を備える、
請求項３に記載の電力変換装置。
【手続補正２】
【補正対象書類名】明細書
【補正対象項目名】０００６
【補正方法】変更
【補正の内容】
【０００６】
（１）本発明の一態様に係る電力変換装置は、上アーム素子と下アーム素子とを有する半導体素子部と、コンデンサと、前記上アーム素子および前記下アーム素子の一方に電気的に接続されて第１方向の一方の側に延びている素子側第１極導電体と、前記上アーム素子および前記下アーム素子の他方に電気的に接続されて前記第１方向の前記一方の側に延びている素子側第２極導電体と、前記コンデンサに電気的に接続されて前記第１方向の他方の側に延びているコンデンサ側第１極導電体と、前記コンデンサに電気的に接続され前記第１方向の前記他方の側に延びているコンデンサ側第２極導電体とを備え、前記素子側第１極導電体と前記素子側第２極導電体とは、互いに向かい合って素子側導電体組を構成し、前記コンデンサ側第１極導電体と前記コンデンサ側第２極導電体とは、互いに向かい合ってコンデンサ側導電体組を構成し、前記素子側第１極導電体は、前記コンデンサ側第１極導電体と重なる素子側第１接続面を備え、前記素子側第２極導電体は、前記素子側第１極導電体よりも前記第１方向の前記一方の側に突出している素子側突出部を備え、前記素子側突出部は、前記コンデンサ側第２極導電体と重なる素子側第２接続面を備え、前記コンデンサ側第１極導電体は、前記コンデンサ側第２極導電体よりも前記第１方向の前記他方の側に突出しているコンデンサ側突出部を備え、前記コンデンサ側突出部は、前記素子側第１接続面と重なるコンデンサ側第１接続面を備え、前記コンデンサ側第２極導電体は、前記素子側第２接続面と重なるコンデンサ側第２接続面を備え、前記素子側第１接続面および前記コンデンサ側第１接続面は平行に延びており、前記素子側第１接続面と前記コンデンサ側第１接続面とは、前記素子側第１極導電体と前記素子側第２極導電体とが互いに向かい合う面に対して平行な面で重なることによって、互いに電気的に接続され、前記素子側第２接続面および前記コンデンサ側第２接続面は平行に延びており、前記素子側第２接続面と前記コンデンサ側第２接続面とは、前記コンデンサ側第１極導電体と前記コンデンサ側第２極導電体とが互いに向かい合う面に対して平行な面で重なることによって、互いに電気的に接続されている。
【手続補正３】
【補正対象書類名】明細書
【補正対象項目名】００２４
【補正方法】変更
【補正の内容】
【００２４】
図１〜図３に示す例では、正極側導電体ＰＩの接続面ＰＩＶおよび正極端子５０ｐの接続面５０ｐ１が平行に延びている。また、正極側導電体ＰＩの接続面ＰＩＶと正極端子５０ｐの接続面５０ｐ１とが図１（Ａ）および図１（Ｂ）の左右方向に延びている面で重なることによって、正極側導電体ＰＩと正極端子５０ｐとが互いに電気的に接続されている。正極側導電体ＰＩと正極端子５０ｐとの電気的接続は、例えば溶接、ろう付け等によって行われている。
詳細には、Ｕ相の正極側導電体ＰＩの接続面ＰＩＶと、正極端子５０ｐのＵ相の接続面５０ｐ１とが平行に延びており、Ｖ相の正極側導電体ＰＩの接続面ＰＩＶと、正極端子５０ｐのＶ相の接続面５０ｐ１とが平行に延びており、Ｗ相の正極側導電体ＰＩの接続面ＰＩＶと、正極端子５０ｐのＷ相の接続面５０ｐ１とが平行に延びている。
Ｕ相の正極側導電体ＰＩの接続面ＰＩＶと正極端子５０ｐのＵ相の接続面５０ｐ１とが重なることによって、Ｕ相の正極側導電体ＰＩと正極端子５０ｐとが互いに電気的に接続され、Ｖ相の正極側導電体ＰＩの接続面ＰＩＶと正極端子５０ｐのＶ相の接続面５０ｐ１とが重なることによって、Ｖ相の正極側導電体ＰＩと正極端子５０ｐとが互いに電気的に接続され、Ｗ相の正極側導電体ＰＩの接続面ＰＩＶと正極端子５０ｐのＷ相の接続面５０ｐ１とが重なることによって、Ｗ相の正極側導電体ＰＩと正極端子５０ｐとが互いに電気的に接続されている。
他の例では、１相分の正極側導電体ＰＩの接続面ＰＩＶと、正極端子５０ｐの１相分の接続面５０ｐ１とが平行に延びており、１相分の正極側導電体ＰＩの接続面ＰＩＶと正極端子５０ｐの１相分の接続面５０ｐ１とが重なることによって、１相分の正極側導電体ＰＩと正極端子５０ｐとが互いに電気的に接続されていてもよい。
【手続補正４】
【補正対象書類名】明細書
【補正対象項目名】００２５
【補正方法】変更
【補正の内容】
【００２５】
図１〜図３に示す例では、負極側導電体ＮＩの接続面ＮＩＶおよび負極端子５０ｎの接続面５０ｎ１が平行に延びている。また、負極側導電体ＮＩの接続面ＮＩＶと負極端子５０ｎの接続面５０ｎ１とが図１（Ａ）および図１（Ｂ）の左右方向に延びている面で重なることによって、負極側導電体ＮＩと負極端子５０ｎとが互いに電気的に接続されている。負極側導電体ＮＩと負極端子５０ｎとの電気的接続は、例えば溶接、ろう付け等によって行われている。
詳細には、Ｕ相の負極側導電体ＮＩの接続面ＮＩＶおよび負極端子５０ｎのＵ相の接続面５０ｎ１が平行に延びており、Ｖ相の負極側導電体ＮＩの接続面ＮＩＶおよび負極端子５０ｎのＶ相の接続面５０ｎ１が平行に延びており、Ｗ相の負極側導電体ＮＩの接続面ＮＩＶおよび負極端子５０ｎのＷ相の接続面５０ｎ１が平行に延びている。
Ｕ相の負極側導電体ＮＩの接続面ＮＩＶと負極端子５０ｎのＵ相の接続面５０ｎ１とが重なることによって、Ｕ相の負極側導電体ＮＩと負極端子５０ｎとが互いに電気的に接続され、Ｖ相の負極側導電体ＮＩの接続面ＮＩＶと負極端子５０ｎのＶ相の接続面５０ｎ１とが重なることによって、Ｖ相の負極側導電体ＮＩと負極端子５０ｎとが互いに電気的に接続され、Ｗ相の負極側導電体ＮＩの接続面ＮＩＶと負極端子５０ｎのＷ相の接続面５０ｎ１とが重なることによって、Ｗ相の負極側導電体ＮＩと負極端子５０ｎとが互いに電気的に接続されている。
他の例では、１相分の負極側導電体ＮＩの接続面ＮＩＶと、負極端子５０ｎの１相分の接続面５０ｎ１とが平行に延びており、１相分の負極側導電体ＮＩの接続面ＮＩＶと負極端子５０ｎの１相分の接続面５０ｎ１とが重なることによって、１相分の負極側導電体ＮＩと負極端子５０ｎとが互いに電気的に接続されていてもよい。